(57)【特許請求の範囲】
【請求項１】
銀塩フィルムを有するフィルムバックと撮像素子を有するデジタルカメラバックとを交換可能な一眼レフカメラボディ；
この一眼レフカメラボディに装着される撮影レンズを保持するレンズマウントを光軸方向に進退させ、該撮影レンズの焦点面位置を変化させるフランジバック調整機構；
上記一眼レフカメラボディのフォーカシングスクリーンをミラーで反射後の光軸方向に進退させるフォーカシングスクリーン駆動機構；
上記一眼レフカメラボディの接眼レンズをその光軸方向に進退させる接眼レンズ駆動機構；及び
上記一眼レフカメラボディに装着されたカメラバックに応じて、フランジバック調整機構により撮影レンズの焦点面位置を調整し、フォーカシングスクリーン駆動機構によりフォーカシングスクリーンを上記焦点面と共役位置に位置するようにミラーで反射後の光軸方向に進退移動させ、接眼レンズ駆動機構により該移動後のフォーカシングスクリーン上の像を観察する位置に接眼レンズを移動させる動作制御手段；を有することを特徴とするカメラバック交換式一眼レフカメラ。
【請求項２】
請求項１記載のカメラバック交換式一眼レフカメラにおいて、上記フォーカシングスクリーン駆動機構と接眼レンズ駆動機構は、フランジバック調整機構に連動して駆動されるカメラバック交換式一眼レフカメラ。
【請求項３】
銀塩フィルムを有するフィルムバックと撮像素子を有するデジタルカメラバックとを交換可能な一眼レフカメラボディ；
上記一眼レフカメラボディに備えられた、フォーカシングスクリーン、プリズム光学系及び接眼レンズ光学系を一体に保持するファインダユニット；
この一眼レフカメラボディに装着される撮影レンズを保持するレンズマウントを光軸方向に進退させ、該撮影レンズの焦点面位置を変化させるフランジバック調整機構；
上記ファインダユニットを、ミラーで反射後の光軸方向に進退させるファインダユニット駆動機構；及び
上記一眼レフカメラボディに装着されたカメラバックに応じて、フランジバック調整機構により撮影レンズの焦点面位置を調整し、ファインダユニット駆動機構により、フォーカシングスクリーンが上記焦点面の共役位置に位置するように、ファインダユニットをミラーで反射後の光軸方向に移動させる動作制御手段；を有することを特徴とするカメラバック交換式一眼レフカメラ。
【請求項４】
請求項３記載のカメラバック交換式一眼レフカメラにおいて、上記ファインダユニット駆動機構は、フランジバック調整機構に連動して駆動されるカメラバック交換式一眼レフカメラ。
【請求項５】
請求項１ないし４のいずれか１項記載のカメラバック交換式一眼レフカメラにおいて、上記一眼レフカメラボディは、フィルムバック装着時のフィルム面の位置情報を格納したメモリを有するカメラバック交換式一眼レフカメラ。
【請求項６】
請求項１ないし５のいずれか１項記載のカメラバック交換式一眼レフカメラにおいて、上記動作制御手段は、撮影レンズの焦点面を、フィルムバックが装着されたときはフィルム面に一致させ、デジタルカメラバックが装着されたときは撮像素子の撮像面に一致させるカメラバック交換式一眼レフカメラ。
【請求項７】
請求項１ないし６のいずれか１項記載のカメラバック交換式一眼レフカメラにおいて、上記動作制御手段は、一眼レフカメラボディの電源オン時またはカメラバック装着時に制御を行うカメラバック交換式一眼レフカメラ。
【請求項８】
請求項１ないし７のいずれか１項記載のカメラバック交換式一眼レフカメラにおいて、上記フランジバック調整機構は、撮影レンズを保持するレンズマウントを進退させるラックと、このラックを正逆に駆動するモータを含んでいるカメラバック交換式一眼レフカメラ。
【請求項９】
請求項１ないし８のいずれか１項記載のカメラバック交換式一眼レフカメラにおいて、上記デジタルカメラバックは、撮像面の位置情報をカメラボディの動作制御手段に伝える手段を有するカメラバック交換式一眼レフカメラ。
【請求項１０】
請求項９記載のカメラバック交換式一眼レフカメラにおいて、撮像面の位置情報を動作制御手段に伝える手段は、デジタルカメラバックに備えられ位置制御情報を格納したメモリと；カメラボディに備えられこのメモリの位置制御情報を受信しモータを制御する駆動回路と；を含んでいるカメラバック交換式一眼レフカメラ。
【発明の詳細な説明】
【０００１】
【技術分野】
本発明は、銀塩フィルムバックとデジタルカメラバックを交換可能なカメラバック交換式一眼レフカメラに関する。
【０００２】
【従来技術及びその問題点】
複数のフィルムを選択使用できるカメラバック交換式の一眼レフカメラが知られている。このカメラバック交換式一眼レフカメラは、そのピント面に、撮像素子の撮像面を位置させれば、いわゆるデジタルカメラとすることができ、このため、銀塩フィルムの代わりに撮像素子を保持したデジタルカメラバック（ＣＣＤバック）が提案されている。
【０００３】
このＣＣＤバックは、撮像素子の前方に、赤外線カットフィルタやローパスフィルタ、防塵カバーガラス等のフィルタ類を設けなければならない。一方、フィルムバックは、前面を開放したフィルム面を撮影レンズの結像面に位置させるから、フィルムバックに代えてＣＣＤバックを装着したとき、撮像素子の撮像面を撮影レンズの結像面に位置させることが困難である。つまり、フィルタ類の厚さ分だけ後方に位置してしまう。仮に、撮像面を撮影レンズの結像面に位置させると、フィルタ類とフォーカルプレンシャッタとが干渉してしまう。そこで、光学系の光路中にリレー光学系を置いてバックフォーカス距離を調整すれば、この問題を解決することができるが、装着するＣＣＤバックによってＣＣＤ取付位置やフィルタ類の材質や厚さが異なるので、各ＣＣＤバックに合わせてリレー光学系を代えなければならず、作業性やコスト面で問題がある。勿論、カバーガラスを薄くし、フィルタ類をフォーカルプレンシャッタと撮影レンズの間に配置すれば、この問題は解決するが、カバーガラスを薄くすることは事実上できない。
【０００４】
【発明の目的】
本発明は、フィルムバックとＣＣＤバックとを交換可能な一眼レフカメラであるという前提において、ＣＣＤバックを装着したときそのフィルタ類とフォーカルプレンシャッタとが干渉することのない、フィルムバックとＣＣＤバックを交換可能な一眼レフカメラを得ることを目的とする。
【０００５】
【発明の概要】
本発明は、カメラボディに撮影レンズを進退させる機構を設けて、ＣＣＤバックを装着したときには、撮影レンズの結像面を撮像面に移動させるという着想に基づいてなされたものである。
【０００６】
本発明のカメラバック交換式一眼レフカメラは、銀塩フィルムを有するフィルムバックと撮像素子を有するデジタルカメラバックとを交換可能な一眼レフカメラボディ；この一眼レフカメラボディに装着される撮影レンズを保持するレンズマウントを光軸方向に進退させ、該撮影レンズの焦点面位置を変化させるフランジバック調整機構；上記一眼レフカメラボディのフォーカシングスクリーンをミラーで反射後の光軸方向に進退させるフォーカシングスクリーン駆動機構；上記一眼レフカメラボディの接眼レンズをその光軸方向に進退させる接眼レンズ駆動機構；及び上記一眼レフカメラボディに装着されたカメラバックに応じて、フランジバック調整機構により撮影レンズの焦点面位置を調整し、フォーカシングスクリーン駆動機構によりフォーカシングスクリーンを上記焦点面と共役位置に位置するようにミラーで反射後の光軸方向に進退移動させ、接眼レンズ駆動機構により該移動後のフォーカシングスクリーン上の像を観察する位置に接眼レンズを移動させる動作制御手段；を有することを特徴としている。このカメラバック交換式一眼レフカメラにおいて、フランジバック調整機構に連動してフォーカシングスクリーン駆動機構と接眼レンズ駆動機構を駆動する機構とすると好ましい。
【０００７】
また、一眼レフカメラボディと；フォーカシングスクリーン、プリズム光学系及び接眼レンズ光学系を一体に保持するファインダユニットと；撮影レンズを保持するレンズマウントを光軸方向に進退させ、撮影レンズの焦点面位置を変化させるフランジバック調整機構と；ファインダユニットを、ミラーで反射後の光軸方向に進退させるファインダユニット駆動機構と；一眼レフカメラボディに装着されたカメラバックに応じて、フランジバック調整機構により撮影レンズを保持するレンズマウントを移動させて撮影レンズの焦点面位置を調整し、ファインダユニット駆動機構により、フォーカシングスクリーンが上記焦点面との共役位置に位置するように、ファインダユニットをミラーで反射後の光軸方向に移動させる動作制御手段と；を有するカメラバック交換式一眼レフカメラとしてもよい。この場合、接眼レンズは常にフォーカシングスクリーン上の像を観察する位置にあるので、接眼レンズ駆動機構が不要で簡潔な構造とすることができる。また、このカメラバック交換式一眼レフカメラにおいて、フランジバック調整機構に連動してファインダユニット駆動機構を駆動すると好ましい。
【０００８】
このカメラバック交換式一眼レフカメラにおいて、フィルムバック装着時のフィルム面の位置情報を格納したメモリをカメラボディに備えるとよい。また、上記動作制御手段は、撮影レンズの焦点面を、フィルムバックが装着されたときにはフィルム面に一致させ、ＣＣＤバックが装着されたときには撮像素子の撮像面に一致させる制御を行うことが好ましく、この制御はカメラボディの電源オン時またはカメラバック装着時に行うことが好ましい。
【０００９】
フランジバック調整機構は、撮影レンズを保持するレンズマウントを進退させるラックと、このラックを正逆に駆動するモータによるとよい。また、ＣＣＤバックには、撮像面の位置情報をカメラボディの動作制御手段に伝える手段が備えられていることが好ましい。この撮像面の位置情報を動作制御手段に伝える手段は、ＣＣＤバックに備えられ位置制御情報を格納したメモリと、カメラボディに備えられこのメモリの位置制御情報を受信しモータを制御する駆動回路とを含むとよい。
【００１０】
【発明の実施形態】
図１から図４は、本発明を適用した一眼レフカメラの第１の実施形態である。カメラボディ１０には、その前後に、撮影レンズ１９のレンズ着脱マウント１３と、カメラバックのバック着脱マウント１４がそれぞれ備えられている。レンズ着脱マウント１３には、撮影レンズ１９が着脱可能である。カメラボディ１０の内部には撮影レンズ１９の焦点面（撮影系の結像面）２０の前方に位置するフォーカルプレンシャッタ１１、及び被写体光をファインダ系と撮影系に切り換えて与えるミラー１２が備えられている（図２）。
【００１１】
カメラボディ１０のバック着脱マウント１４には、フィルムバック３２とデジタルカメラバック（ＣＣＤバック）２１とが選択して着脱可能である（図３）。フィルムバック３２内には、供給側と巻取側のスプール３３、３４が位置しており、スプールに巻かれたフィルム３５は、案内ローラ３６、３７を介して巻取側スプールに巻き取られる。案内ローラ３６と３７を結ぶ平面の後方には、フィルム圧板３８が備えられている。このフィルムバック３２は、カメラボディ１０のバック着脱マウント１４に装着されると、そのフィルム圧板３８の前方に位置するフィルム３５が、撮影レンズ１９の結像面２０と一致する。フィルムバック３２はフォーカルプレンシャッタ１１を動作させることにより、撮影レンズ１９による被写体像がフィルム３５上に露光される。
【００１２】
一方ＣＣＤバック２１は、撮像素子２２を有し、撮像素子２２の撮像面２２ａの前方にはフィルタ類２３が固定されている。フィルタ類２３が薄ければ、ＣＣＤバック２１を一眼レフカメラボディ１０のバック着脱マウント１４に装着したとき、撮像面２２ａを撮影レンズ１９の結像面２０に正確に位置させることが可能であるが、実際にはフィルタ類２３は一定以上の厚さを有するので、撮像面２２ａを結像面２０に一致させるとフィルタ類２３が前方に突出し、ＣＣＤバック２１をバック着脱マウント１４に装着するときにフォーカルプレンシャッタ１１と干渉してしまう。
【００１３】
そこで、フィルタ類２３はフォーカルプレンシャッタ１１と干渉しない位置に固定し、フランジバックを調整する（撮影レンズ１９の結像面２０をＣＣＤ２２の撮像面２２ａに一致させる）ために、撮影レンズ１９を光軸方向に進退する駆動機構が設けられている。図２はカメラボディ１０にＣＣＤバック２１を装着し、結像面２０が撮像面２２ａに一致していない、フランジバック調整前の状態を示している。
【００１４】
撮影レンズ１９が装着されるレンズ着脱マウント１３を駆動するフランジバック調整機構１８は、カメラボディ１０内に設けられている。レンズ着脱マウント１３は、光軸を中心軸とした筒状のスライド管１３ａの前端面に光軸と直交して形成されている。このスライド管１３ａはカメラボディ１０の開口部１０ａ内に摺動可能に収納され、光軸と平行な２本のガイド（スライド管ガイド）１３ｂと、光軸に平行な１本のラック１８ｂを有している。スライド管ガイド１３ｂはカメラボディ１０の開口部１０ａに形成された溝（図示せず）に嵌っており、スライド管１３ａすなわちレンズ着脱マウント１３の動作を光軸方向の進退のみに規制する。ラック１８ｂはピニオン１８ｄを介し、駆動モータ１８ａの駆動ギヤ１８ｃに噛み合っている。よって、駆動モータ１８ａが回転駆動されると、ラック１８ｂが進退し、レンズ着脱マウント１３と一体に撮影レンズ１９が光軸方向に進退し、結像面２０を撮像面２２ａに一致させることができる。
【００１５】
撮影レンズ１９が光軸方向に進退すると、ミラー１２で反射した光路（ファインダ系）の結像面２０´も移動するので、フォーカシングスクリーン１５をこの結像面２０´に一致するよう移動させるフォーカシング駆動機構３９と、接眼レンズ系１７をフォーカシングスクリーン１５上の像を観察する位置に移動させる接眼レンズ駆動機構４０が設けてある。フォーカシングスクリーン１５はフォーカシングスクリーンガイド穴１５ａと、ミラー１２で反射後の光軸と平行な２本のラック３９ｂ、４０ｂを有している。フォーカシングスクリーンガイド穴１５ａにはカメラボディ１０に固定された、ミラー１２で反射後の光軸と平行なフォーカシングスクリーンガイド軸１０ｃが貫通していて、フォーカシングスクリーン１５の動作を光軸方向の進退のみに規制する。ラック３９ｂは、ピニオン３９ａを介し、駆動モータ１８ａの駆動ギヤ１８ｃに噛み合っている。よって、駆動モータ１８ａが回転駆動されると、レンズ着脱マウント１３が光軸方向に進退するとともにラック３９ｂが進退し、連動してフォーカシングスクリーン１５は撮影レンズ１９の移動距離と同じ距離、ミラー１２で反射後の光軸方向に進退し、フォーカシングスクリーン１５がこの結像面２０´に一致する。
【００１６】
接眼レンズ系１７は、その動作を光軸方向のみに規制する接眼レンズ系ガイド（図示せず）と、光軸と平行なラック４０ａを有している。ラック４０ａは、ピニオン４０ｃを介してラック４０ｂと噛み合っている。よって、レンズ着脱マウント１３が進退してフォーカシングスクリーン１５が進退すると、これに連動して接眼レンズ系１７も撮影レンズ１９の移動距離と同じ距離、光軸方向に進退し、接眼レンズ系１７はフォーカシングスクリーン１５上の像を観察する位置に移動する。
【００１７】
上記機械構成のカメラボディ１０にＣＣＤバック２１を装着し、撮影可能な状態となるまでの動作制御のフローチャートを図１４に示す。以下、このフローチャートを参照して説明する。
【００１８】
カメラボディ１０に設けた電源スイッチ２８をオンにすると、ステップ１１でカメラバックが装着されているかを検出し、装着されていればステップ１５に進み、装着されていなければステップ１２で警告し、同時にカメラボディ１０に備えたメモリ４２の有する情報（初期位置情報）によってレンズマウント１３を初期位置（焦点面２０がフィルム３５に一致する位置）に戻して再度ステップ１１へ進む。
【００１９】
ステップ１５で、装着されたカメラバックがＣＣＤバック２１であればステップ１３へ進み、フィルムバック３２であればステップ１６へ進む。ステップ１３ではＣＣＤバック２１に備えたメモリ２５からＣＣＤバック情報がカメラボディ１０に送信され、続くステップ１４で受信した情報に従ってフランジバック調整機構１８が駆動し、フランジバック調整が行われてスタンバイとなる。フィルムバック３２が装着された場合、ステップ１６でカメラボディ１０に備えたメモリ４２の初期位置情報によってレンズマウント１３が初期位置に戻され、スタンバイとなる。
【００２０】
ＣＣＤバック２１が装着されている場合の動作制御について、図１５に示すブロック図を参照して説明する。カメラボディ１０にＣＣＤバック２１が装着されていると、ＣＣＤバック２１の接続端子２７とカメラボディ１０の接続端子２９とが接続し、信号が送受信できる。ＣＣＤバック２１のメモリ２５からシステムコントロール回路２６によってＣＣＤバック情報がカメラボディ１０に送信される。カメラボディ１０側ではこの情報を受信し、システムコントロール回路３０によって駆動モータ１８ａを制御する信号がフランジバック調整機構駆動回路３１に送信され、駆動モータ１８ａが作動しフランジバック調整が行われて撮影可能となる。
【００２１】
図５から図１３に示す第２の実施例は、フォーカシングスクリーン１５とこれより後方のプリズム光学系１６、接眼レンズ系１７の相互の位置関係を固定し、一体としたファインダ光学系全体を、カメラボディ１０とは別部品のファインダユニット２４としたものである。ファインダユニット２４は、フォーカシングスクリーン１５の光軸と平行なラック４１ａとファインダユニットガイド２４ａを備えている。ラック４１ａはピニオン４１ｂを介して駆動ギヤ１８ｃと噛み合っている。レンズ着脱マウント１３を駆動する機構は、第１の実施例と同一である。よって、駆動モータ１８ａが回転駆動されると、レンズ着脱マウント１３が光軸方向に進退するとともにファインダユニット２４がミラー１２で反射後の光軸方向に進退し、撮影レンズ１９の結像面２０´をフォーカシングスクリーン１５に一致させることができる（図１１、図１２）。
【００２２】
この第２の実施例は、ファインダ光学系を一体としたことにより、第１の実施例におけるフォーカシングスクリーン１５と接眼レンズ系１７の距離を調整する機構（接眼レンズ駆動機構４０）が不要となるので、カメラボディ１０をさらに簡潔な構成とすることができる。
【００２３】
【発明の効果】
本発明によれば、フィルムバックとＣＣＤバックを交換可能な一眼レフカメラにおいて、カメラボディ側でフランジバック調整を行うため、撮像素子の種類や取付位置に拘束されない自由度の高い設計によるＣＣＤバックを使用できる。また専用のリレー光学系が不要なのでコストダウンと操作性の向上に貢献できる。
【図面の簡単な説明】
【図１】本発明による第１の実施例を示す外観図である。
【図２】図１におけるII−II断面図である。
【図３】カメラボディにフィルムバックとＣＣＤバックとを交換して着脱可能であることを示す図である。
【図４】図１におけるIV−IV断面図である。
【図５】本発明による第２の実施例を示す外観図である。
【図６】本発明による第２の実施例を示す外観図である。
【図７】本発明による第２の実施例におけるファインダユニットの側面図である。
【図８】本発明による第２の実施例におけるファインダユニットの正面図である。
【図９】図６におけるIX−IX断面図である。
【図１０】図６におけるX−X断面図である。
【図１１】第２の実施例における動作を示す外観図である。
【図１２】第２の実施例における動作を示す外観図である。
【図１３】第２の実施例を示す正面図である。
【図１４】本発明の第１、第２の実施例における動作を示すフローチャート図である。
【図１５】本発明の第１、第２の実施例におけるＣＣＤバック情報の流れを示すブロック図である。
【符号の説明】
１０      カメラボディ
１０ａ      開口部
１０ｃ      フォーカシングスクリーンガイド軸
１１      フォーカルプレンシャッタ
１２      ミラー
１３      レンズ着脱マウント
１３ａ      スライド管
１３ｂ      スライド管ガイド
１４      バック着脱マウント
１５      フォーカシングスクリーン
１５ａ      フォーカシングスクリーンガイド穴
１６      プリズム光学系
１７      接眼レンズ系
１８      フランジバック調整機構
１８ａ      駆動モータ
１８ｂ      ラック
１８ｃ      駆動ギヤ
１８ｄ      ピニオン
１９      撮影レンズ
２０      撮影レンズの焦点面（撮影系の結像面）
２０´    撮影レンズの焦点面（ファインダ系の結像面）
２１      デジタルカメラバック（ＣＣＤバック）
２２      撮像素子
２２ａ      撮像面
２３      フィルタ類
２４      ファインダユニット
２４ａ      ファインダユニットガイド
２５      メモリ
２６      システムコントロール回路
２７      接続端子
２８      電源スイッチ
２９      接続端子
３０      システムコントロール回路
３１      フランジバック調整機構駆動回路
３２      フィルムバック
３３      供給側スプール
３４      巻取側スプール
３５      フィルム
３６  ３７    案内ローラ
３８      フィルム圧板
３９      フォーカシングスクリーン駆動機構
３９ａ      ピニオン
３９ｂ      ラック
４０      接眼レンズ駆動機構
４０ａ  ４０ｂ    ラック
４０ｃ      ピニオン
４１      ファインダユニット駆動機構
４１ａ      ラック
４１ｂ      ピニオン
４２      メモリ
【図１】
0003638229.tif 000002
【図２】
0003638229.tif 000003
【図３】
0003638229.tif 000004
【図４】
0003638229.tif 000005
【図５】
0003638229.tif 000006
【図６】
0003638229.tif 000007
【図７】
0003638229.tif 000008
【図８】
0003638229.tif 000009
【図９】
0003638229.tif 000010
【図１０】
0003638229.tif 000011
【図１１】
0003638229.tif 000012
【図１２】
0003638229.tif 000013
【図１３】
0003638229.tif 000014
【図１４】
0003638229.tif 000015
【図１５】
0003638229.tif 000016